(57)【要約】  【課題】主スクリードの前方または後方に補助スクリードを左右方向へ伸縮自在に設けた舗装機械に於いて、施工幅を簡単に確認できるようにする。  【解決手段】主スクリードの後方に補助スクリードを左右方向へ伸縮自在に設けた舗装機械に於いて、自動巻き込み式の巻尺１８を補助スクリード１５，１６の最外端部に固定し、巻尺１８から引き出したスケール１９の先端部１９ａを主スクリード１４の最外端部に固定する。【選択図】図５
2005090043.tif 000002
【特許請求の範囲】
【請求項１】
主スクリードの前方または後方に補助スクリードを左右方向へ伸縮自在に設けた舗装機械に於いて、自動巻き込み式の巻尺を前記補助スクリードの最外端部に固定し、該巻尺から引き出したスケールの先端部を主スクリードの最外端部に固定したことを特徴とする舗装機械の施工幅表示装置。
【請求項２】
主スクリードの前方または後方に補助スクリードを左右方向へ伸縮自在に設けた舗装機械に於いて、自動巻き込み式の巻尺を前記主スクリードの最外端部に固定し、該巻尺から引き出したスケールの先端部を補助スクリードの最外端部に固定したことを特徴とする舗装機械の施工幅表示装置。
【発明の詳細な説明】
【技術分野】
【０００１】
本発明は舗装機械の施工幅表示装置に関するものであり、特に、主スクリードに対して伸縮自在な補助スクリードを設けた舗装機械の施工幅表示装置に関するものである。
【背景技術】
【０００２】
従来、此種舗装機械は車体の前部にアスファルト合材を受け入れるホッパを配設し、車体の両側から後方に向けてレベリングアームを延出し、該レベリングアームの後端に主スクリードの外側面を装着している。そして、主スクリードの後方に補助スクリードを左右方向へ伸縮自在に設け、施工幅を拡張できるようにしたものが知られている。
【０００３】
また、補助スクリードを主スクリードの幅の1/2以下の幅として各方向について少なくとも２個設け、これら補助スクリードを油圧シリンダの操作で少なくとも２段階に伸縮せしめ、最大伸長状態に於いて主スクリードの幅の２倍以上の施工幅を得られるようにしたものも知られている（例えば、特許文献１参照）。
【０００４】
更に、主スクリードを舗装機械の機械幅よりも小幅とし、主スクリードの後部側に左右一対の第１副スクリード（第１補助スクリード）を幅方向へ伸縮自在に配設するとともに、該左右第１スクリードの後部側に左右第２副スクリード（第２補助スクリード）を幅方向へ伸縮自在に配設し、上記第１、第２副スクリードを最大限まで収縮させた状態に於いて、これらの第１、第２副スクリードの外側端部を主スクリードの外側端部から平面段階状に突出させた状態となるように構成し、最小幅時に於いても全てのスクリードによって一定厚みの舗装を行うように形成したものも知られている（例えば、特許文献２参照）。
【特許文献１】特開平７−１０２５２１号公報
【特許文献２】特開平１１−１２４８１１号公報
【発明の開示】
【発明が解決しようとする課題】
【０００５】
特許文献１及び２は、何れも主スクリードと複数組の補助スクリードを備えた舗装機械について記載されているが、補助スクリードの張り出し量が表示されないので、簡単に施工幅を確認することができない。個々の補助スクリードにスケールを貼り付けた舗装機械もあるが、全体の張り出し量は表示されないため、作業者が個々の補助スクリードのスケールを読み取って加算する必要があり、施工幅の算出が煩雑であった。
【０００６】
従って、舗装面のセンタークラウンが正確になるように施工する場合に、舗装機械が施工幅の中央位置で施工しているかどうかをオペレータが確認し難い。
【０００７】
そこで、主スクリードの前方または後方に補助スクリードを左右方向へ伸縮自在に設けた舗装機械に於いて、施工幅を簡単に確認できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、主スクリードの前方または後方に補助スクリードを左右方向へ伸縮自在に設けた舗装機械に於いて、自動巻き込み式の巻尺を前記補助スクリードの最外端部に固定し、該巻尺から引き出したスケールの先端部を主スクリードの最外端部に固定した舗装機械の施工幅表示装置を提供する。
【０００９】
前記補助スクリードが外側へ伸長すると、巻尺も補助スクリードと一体に外側へ移動し、スケールの先端部が主スクリードに固定してあるので、スケールが巻尺から引き出される。該巻尺は自動巻き込み式であるため、スケールを巻尺の中へ巻き込もうとする付勢力にて、該スケールが緊張状態に保持される。
【００１０】
一方、前記補助スクリードが内側へ収縮すると、巻尺も補助スクリードと一体に内側へ移動してスケールが弛緩しようとするが、弛緩しようとするスケールは巻尺の中へ巻き取られて緊張状態に保持される。従って、スケールの目盛りを読み取れば、補助スクリードが伸長または収縮した量を作業者がひと目で確認できる。
【００１１】
請求項２記載の発明は、主スクリードの前方または後方に補助スクリードを左右方向へ伸縮自在に設けた舗装機械に於いて、自動巻き込み式の巻尺を前記主スクリードの最外端部に固定し、該巻尺から引き出したスケールの先端部を補助スクリードの最外端部に固定した舗装機械の施工幅表示装置を提供する。
【００１２】
前記補助スクリードが外側へ伸長すると、スケールの先端部も補助スクリードと一体に外側へ移動し、巻尺が主スクリードに固定してあるので、前記スケールが巻尺から引き出される。該巻尺は自動巻き込み式であるため、スケールを巻尺の中へ巻き込もうとする付勢力にて、該スケールが緊張状態に保持される。
【００１３】
一方、前記補助スクリードが内側へ収縮すると、スケールの先端部も補助スクリードと一体に内側へ移動してスケールが弛緩しようとするが、弛緩しようとするスケールは巻尺の中へ巻き取られて緊張状態に保持される。従って、スケールの目盛りを読み取れば、補助スクリードが伸長または収縮した量を作業者がひと目で確認できる。
【発明の効果】
【００１４】
請求項１記載の発明は、補助スクリードの伸縮に伴って巻尺からスケールが引き出され或いは巻き込まれ、巻尺が自動巻き込み式であるので、スケールを巻尺の中へ巻き込もうとする付勢力にて、スケールが緊張状態に保持される。従って、該スケールの目盛りを読み取れば、補助スクリードの伸縮量を直接確認することができる。
【００１５】
請求項２記載の発明は、補助スクリードの伸縮に伴ってスケールの先端部が移動して巻尺から引き出され或いは巻き込まれ、巻尺が自動巻き込み式であるので、請求項１と同様の効果を奏する。また、巻尺が主スクリード側に固定されているので、スケールの目盛りを読み取る際に機械の左右方向の中心部に近い位置で読み取れるため、運転席のオペレータから補助スクリードの伸縮量を確認し易くなる。
【００１６】
尚、シックネスマンは舗装機械の周囲を簡単に移動できるため、請求項１記載の発明または請求項２記載の発明の何れの構成であっても、スケールの読み取りは容易である。
【発明を実施するための最良の形態】
【００１７】
以下、本発明の一実施の形態を図面に従って詳述する。図１乃至図３は舗装機械の一例として、アスファルトフィニッシャ１０を示し、車体１１の前部にホッパ１２が配置され、車体１１の両側から後方に向けてレベリングアーム１３を延出し、該レベリングアーム１３の後端に主スクリード１４の外側面を装着してある。主スクリード１４の後方に補助スクリード１５，１６を左右方向へ伸縮自在に設けてある。
【００１８】
前記ホッパ１２に投入されたアスファルト合材はバーコンベヤ（図示せず）により後方へ搬送され、車体１１の後部から路面へ撒布されて前記主スクリード１４及び補助スクリード１５，１６により均等な厚さに敷き均される。符号１７は左右の駆動輪であり、該駆動輪１７は油圧モータ（図示せず）によって駆動される。
【００１９】
前記補助スクリード１５，１６は油圧シリンダ（図示せず）の駆動にて外側へ移動するが、夫々の補助スクリード１５，１６の最外端部に自動巻き込み式の巻尺１８を固定してある。そして、該巻尺１８から引き出したスケール１９の先端部１９ａを主スクリード１４の最外端部に固定する。尚、符号２０はオペレータが座る運転席である。
【００２０】
図４に示すように、左右の補助スクリード１５，１６が収縮された状態では、前記巻尺１８からスケール１９は殆ど引き出されてなく、このときのスケール１９の目盛りを初期位置Ｍ０とする。
【００２１】
図５に示すように、補助スクリード１５，１６が外側へ伸長すると、巻尺１８も補助スクリード１５，１６と一体に外側へ移動し、スケールの先端部１９ａが主スクリード１４  に固定してあるので、該スケール１９が巻尺１８から引き出される。前述したように、巻尺１８は自動巻き込み式であるため、スケール１９を巻尺１８の中へ巻き込もうとする付勢力にて、該スケール１９が緊張状態に保持される。
【００２２】
このときのスケール１９の目盛りを移動位置Ｍ１とすれば、Ｍ１−Ｍ０が補助スクリード１５，１６の伸縮量となる。前記初期位置Ｍ０の目盛りを「０」にしておけば、移動位置Ｍ１の目盛りが直接に伸縮量を表示することになる。従って、スケール１９の目盛りを読み取ることにより、作業者は機械の施工幅をひと目で確認することができる。
【００２３】
一方、図５に示した状態から前記補助スクリード１５，１６が内側へ収縮すると、巻尺１８も補助スクリード１５，１６と一体に内側へ移動してスケール１９が弛緩しようとするが、該巻尺１８が自動巻き込み式であるため、弛緩しようとするスケール１９は巻尺１８の中へ巻き取られて緊張状態に保持される。従って、前述と同様に、そのときのスケール１９の目盛りを読み取れば、機械の施工幅を直接確認できる。
【００２４】
図６は主スクリード２４の後方に左右一対の補助スクリード２５，２６を配置し、更に、その後方に、もう一対の補助スクリード２７，２８を配置した構成を示し、すべての補助スクリード２５乃至２８が収縮された状態では、前述した図４の構成と同様に、前記巻尺１８からスケール１９は殆ど引き出されてなく、このときのスケール１９の目盛りを初期位置Ｍ０とする。
【００２５】
図７に示すように、二対の補助スクリード２５乃至２８が外側へ平面視段階状に伸長すると、巻尺１８も補助スクリード２７，２８と一体に外側へ移動し、スケールの先端部１９ａが主スクリード１４に固定してあるので、該スケール１９が巻尺１８から引き出される。前述したように、巻尺１８は自動巻き込み式であるため、スケール１９を巻尺１８の中へ巻き込もうとする付勢力にて、該スケール１９が緊張状態に保持される。
【００２６】
このときのスケール１９の目盛りを移動位置Ｍ１とすれば、Ｍ１−Ｍ０が補助スクリード２５乃至２８の伸縮量となる。前記初期位置Ｍ０の目盛りを「０」にしておけば、移動位置Ｍ１の目盛りが直接に伸縮量を表示することになる。従って、スケール１９の目盛りを読み取ることにより、作業者は機械の施工幅をひと目で確認することができる。
【００２７】
一方、図７に示した状態から前記補助スクリード２５乃至２８が内側へ収縮すると、巻尺１８も補助スクリード２７，２８と一体に内側へ移動してスケール１９が弛緩しようとするが、該巻尺１８が自動巻き込み式であるため、弛緩しようとするスケール１９は巻尺１８の中へ巻き取られて緊張状態に保持される。従って、前述と同様に、そのときのスケール１９の目盛りを読み取れば、機械の施工幅を直接確認できる。
【００２８】
ここで、自動巻き込み式の巻尺１８を補助スクリードの最外端部に固定するのではなく、主スクリード１４または２４の最外端部に固定し、該巻尺１８から引き出したスケール１９の先端部１９ａを、夫々左右の補助スクリード１５，１６または２７，２８の最外端部に固定してもよい。
【００２９】
例えば、図８に示すように、主スクリード２４の後方に左右一対の補助スクリード２５，２６を配置し、更に、その後方に、もう一対の補助スクリード２７，２８を配置した構成の場合、主スクリード２４側の最外端部に巻尺１８を固定し、該巻尺１８から引き出したスケール１９の先端部１９ａを後方の補助スクリード２７，２８の最外端部に固定する。そして、同図に示すように、二対の補助スクリード２５乃至２８が外側へ平面視段階状に伸長すると、スケールの先端部１９ａが補助スクリード２７，２８と一体に外側へ移動し、巻尺１８が主スクリード２４に固定してあるので、該スケール１９が巻尺１８から引き出される。前述したように、巻尺１８は自動巻き込み式であるため、スケール１９を巻尺１８の中へ巻き込もうとする付勢力にて、該スケール１９が緊張状態に保持される。
【００３０】
このときのスケール１９の目盛りを移動位置Ｍ１とすれば、Ｍ１−Ｍ０が補助スクリード２５乃至２８の伸縮量となる。前記初期位置Ｍ０の目盛りを「０」にしておけば、移動位置Ｍ１の目盛りが直接に伸縮量を表示することになる。従って、スケール１９の目盛りを読み取ることにより、作業者は機械の施工幅をひと目で確認することができる。
【００３１】
運転席にいるオペレータにとっては、巻尺１８が補助スクリード２７，２８の最外端部に固定してある場合の視線（一点鎖線で示す）よりも、巻尺１８が主スクリード２４の最外端部に固定してある場合の視線（点線で示す）の方が、機械の左右方向の中心部に近い位置で読み取れるため、運転席のオペレータから補助スクリードの伸縮量を確認し易くなる。
【００３２】
尚、本実施の形態では、主スクリードの後方に補助スクリードを左右方向へ伸縮自在に設けた構成に適用した場合について説明したが、主スクリードの前方に補助スクリードを左右方向へ伸縮自在に設けた構成に適用した場合に於いても、全く同様の作用効果を得ることができる。
【００３３】
而して、本発明は、本発明の精神を逸脱しない限り種々の改変を為すことができ、そして、本発明が該改変されたものに及ぶことは当然である。
【図面の簡単な説明】
【００３４】
図は本発明の一実施の形態を示すものである。
【図１】アスファルトフィニッシャの側面図。
【図２】アスファルトフィニッシャの背面図。
【図３】アスファルトフィニッシャの平面図。
【図４】補助スクリードが収縮された状態の解説図。
【図５】補助スクリードが伸長された状態の解説図。
【図６】複数組の補助スクリードが収縮された状態の解説図。
【図７】複数組の補助スクリードが伸張された状態の解説図。
【図８】他の実施の形態を示す解説図。
【符号の説明】
【００３５】
１０        アスファルトフィニッシャ
１１        車体
１４        主スクリード
１５        補助スクリード
１６        補助スクリード
１８        巻尺
１９        スケール
１９ａ      スケールの先端部
２４        主スクリード
２５        補助スクリード
２６        補助スクリード
２７        補助スクリード
２８        補助スクリード
【図１】
2005090043.tif 000003
【図２】
2005090043.tif 000004
【図３】
2005090043.tif 000005
【図４】
2005090043.tif 000006
【図５】
2005090043.tif 000007
【図６】
2005090043.tif 000008
【図７】
2005090043.tif 000009
【図８】
2005090043.tif 000010